(57)【要約】【課題】取り扱いが容易で、濾過する水を効率的に通過させつつ、効率よく水を濾過することができる濾過材を提供する。【解決手段】管状に形成され、水を濾過する複数の濾過部材２と、この複数の濾過部材２に挿通され、複数の濾過部材２を連結する可撓性を有するヒモ３１とで構成される濾過材１であり、複数の濾過部材２を連結するヒモ３１の連結有効長を、各々の濾過部材２の長さを合計した濾過部材２全長よりも長くした。【選択図】図１
0003129626.tif 000002
【実用新案登録請求の範囲】
【請求項１】
管状に形成され、水を濾過する複数の濾過部材と、
この複数の濾過部材に挿通され、前記複数の濾過部材を連結する可撓性を有する連結部材と、
で構成したことを特徴とする濾過材。
【請求項２】
請求項１に記載の濾過材において、
前記複数の濾過部材を連結する前記連結部材の連結有効長を、各々の前記濾過部材の長さを合計した濾過部材全長よりも長くしたことを特徴とする濾過材。
【考案の詳細な説明】
【技術分野】
【０００１】
本考案は、水の濾過に用いる濾過材に係り、特に、観賞魚用水槽の水の浄化に適した濾過材に関する。
【背景技術】
【０００２】
観賞魚用水槽内では、餌の食べ残し、魚の排泄物、魚の体液等により水が濁り、また排泄物等からアンモニアが発生するため、これらが魚の生育に悪影響を及ぼすことが知られている。このため、濾過材を介して観賞魚用水槽内の水を循環させ、水槽内の夾雑物を濾過する水の浄化が広く行われている。
【０００３】
この濾過による水の浄化には、水と固体とを分離する物理濾過を行う濾過材のほか、物理濾過とともに、濾過材を硝化細菌の繁殖場として活用し、アンモニアを亜硝酸、硝酸へと順次、酸化分解する生物濾過をも行う濾過材が広く利用されている。そして、これらの濾過材としては、シート状の不織布や合成樹脂のスポンジとともに、粒状のガラス、セラミックス及び活性炭を含めた無機材料等が公知である。
【特許文献１】特許第２９３６４６７号公報
【考案の開示】
【考案が解決しようとする課題】
【０００４】
しかし、以上のような濾過材で観賞魚用水槽内の水を浄化すると、シート状のスポンジ、不織布等を濾過材とした場合、必要十分な濾過のために、水の通過面積を大きく確保しなけれなばらないという問題がある。また、粒状で多孔質の無機材料等を濾過材とした場合、目詰まりしやすく、通水抵抗が大きくなるので、濾過材自体を頻繁に洗浄する必要がある。そうすると、観賞魚用水槽内、または観賞魚用水槽に隣接して設けられた濾過槽内から、粒状の濾過材を一つ一つ取り出す必要があるので、濾過材の洗浄作業が煩わしくなるといった問題があった。
【０００５】
本考案は、上記の実情に鑑み、観賞魚用水槽内等から簡単に取り出すことができる等、取り扱いが容易で、濾過する水を効率的に通過させつつ、効率よく水を濾過することができる濾過材を提供することを目的とする。
【課題を解決するための手段】
【０００６】
本考案に係る濾過材は、上記目的を達成するために、管状に形成され、水を濾過する複数の濾過部材と、この複数の濾過部材に挿通され、前記複数の濾過部材を連結する可撓性を有する連結部材とで構成したことを特徴とする。
【０００７】
また、上記濾過材は、前記複数の濾過部材を連結する前記連結部材の連結有効長を、各々の前記濾過部材の長さを合計した濾過部材全長よりも長くするとよい。
【考案の効果】
【０００８】
本考案に係る濾過材は、複数の濾過部材を、この複数の濾過部材に挿通され、可撓性を有する連結部材で連結させて構成されるので、観賞魚用水槽内等から簡単に取り出すことができる等、取り扱いが容易になる。さらに、本考案に係る濾過材を構成する各々の濾過部材は、管状に形成されているので、濾過部材の表面積が大きく、効率よく水が通過し、効率よく水を濾過することができる。
【０００９】
また、本考案に係る濾過材では、複数の濾過部材を連結する連結部材の連結有効長が、各々の濾過部材の長さを合計した濾過部材全長よりも長く、連結された各々の濾過部材の間に隙間を確保することができるので、各々の濾過部材への通水が良くなり、連結された各々の濾過部材の間に隙間が無い場合に比べ、効率よく水が通過し、効率よく水を濾過することができる。
【考案を実施するための最良の形態】
【００１０】
以下、実施形態を示す図面に基づいて本考案を詳細に説明する。図１は、本考案に係る一実施形態を示した濾過材の正面図である。図２は、本考案に係り、他の実施形態を示した濾過材の正面図である。図３は、本考案に係り、環状に構成したさらに他の実施形態を示した濾過材の正面図である。図４は、管状に形成された濾過部材の斜視図である。
【００１１】
図１の濾過材１は、観賞魚用水槽内、または観賞魚水槽に隣接して設けられる濾過槽内で、水槽内の夾雑物を濾過する水の浄化を行うために用いられる。この濾過材１は、水を濾過する複数の濾過部材２と、この複数の濾過部材２に挿通され、複数の濾過部材２を連結する連結部材３とで構成されている。
【００１２】
まず、濾過部材２は、粒状で無機材料等の例えば、セラミックスからなり、水の濾過に適した多孔質の物性を有している。さらに、図４に示すように、管状に形成されて中空部２２を有し、この中空部２２にて連結部材３を挿通している。また、濾過部材２の外観表面部２１及び中空部２２の表面には、生物濾過のための硝化細菌が付着している。一方、これら複数の濾過部材２を連結している連結部材３は、可撓性を有する例えば、ヒモ３１である。
【００１３】
また、このヒモ３１の両端部には、抜け止め部５が形成されている。この抜け止め部５は、図１のように、連結された複数の濾過部材２のうちの両端部に位置する濾過部材２を、複数の濾過部材２に挿通されているヒモ３１の端部とそれぞれ結束させて形成される。また、抜け止め部５は、図２のように、連結している濾過部材２の中空部２２の穴よりも径が大きな抜け止め部材を使って、複数の濾過部材２に挿通されているヒモ３１の端部と抜け止め部材とを結束させても形成される。なお、図示しないが、複数の濾過部材２に挿通されているヒモ３１の端部を、濾過部材２の中空部２２の穴よりも大きく結束させて抜け止め部５としたり、濾過部材２の中空部２２の穴よりも径が大きな止め輪等を利用して、抜け止め部５を形成してもよい。
【００１４】
さらに、抜け止め部５は、図３のように、複数の濾過部材２を連結しているヒモ３１の両端部を相互に結束させて形成されてもよく、この場合、環状の濾過材１が形成される。
【００１５】
また、本考案に係る濾過材１は、複数の濾過部材２を連結するヒモ３１の連結有効長が、各々の濾過部材２の長さを合計した濾過部材２全長よりも長いので、連結された各々の濾過部材２の間には隙間４が確保されている。
【００１６】
そして、ヒモ３１の連結有効長とは、図１においては、複数の濾過部材２に挿通されているヒモ３１の全長のうち、抜け止め部５に相当する複数の濾過部材２のうちの両端部に位置する濾過部材２と結束させているヒモ３１の両端部の長さを除いたヒモ３１の長さをいう。また、図２においては、複数の濾過部材２に挿通されているヒモ３１の全長のうち、抜け止め部５とした部材に結束させているヒモ３１の端部の長さを除いたヒモ３１の長さをいう。図３においては、ヒモ３１の両端部が結束して形成される環状のヒモ３１の周長をいう。
【００１７】
そうすると、本考案に係る濾過材１は、観賞魚用水槽内、または観賞魚用水槽に設けられる濾過槽内という限られたスペースを有効に使って水を濾過することができる。また、各々の濾過部材２への通水も良い。さらに、各々の濾過部材２は、表面積が大きく、効率よく水が通過し、効率よく水を濾過することができるほか、物理濾過とともに、各々の濾過部材２の外観表面部２１及び中空部２２の表面に付着させた硝化細菌により、生物濾過をも行うことができる。
【００１８】
さらに、ヒモ３１の両端部に抜け止め部５が形成された本考案に係る濾過材１は、複数の濾過部材２に挿通されているヒモ３１の両端部に抜け止め部５が形成され、複数の濾過部材２の各々は、挿通しているヒモ３１から外れることがない。また、ヒモ３１によって連結された複数の濾過部材２のうちの一の濾過部材２、または複数の濾過部材２に挿通されているヒモ３１の一部分が摘まれて引き出されるだけで、観賞魚水槽内、または観賞魚用水槽に隣接して設けられた濾過槽内から外部へ複数の濾過部材２を一体的に取り出すことができる等、濾過材１の取り扱いが容易となり、濾過材１の洗浄に伴う煩雑さを解消することができる。
【００１９】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
例えば、濾過部材２は、セラミックスを原材料とすることに限られず、中空部２２を加工できる粒状であって、多孔質の物性を有していればよい。そして、靭性が高く、加工性のよい材料であれば、濾過材１の製造がより容易になる。また、連結部材３は、濾過部材２を連結できる材料であれば、ヒモ３１に比べ耐久性の良いものが活用できる。そうすると、洗浄して繰り返し使う本考案に係る濾過材１を長寿命化することができる。
【図面の簡単な説明】
【００２０】
【図１】本考案に係り、一実施形態を示した濾過材の正面図である。
【図２】本考案に係り、他の実施形態を示した濾過材の正面図である。
【図３】本考案に係り、環状に構成した濾過材の正面図である。
【図４】管状に形成された複数の濾過部材のうちの一部材の斜視図である。
【符号の説明】
【００２１】
１      濾過材
２      濾過部材
２１    外観表面部
２２    中空部
３      連結部材
３１    ヒモ
４      隙間
５      抜け止め部
【図１】
0003129626.tif 000003
【図２】
0003129626.tif 000004
【図３】
0003129626.tif 000005
【図４】
0003129626.tif 000006